(57)【要約】【課題】情報表示部に表示されるＧＵＩをタッチ選択する際に指がＧＵＩを遮ることなく、ＧＵＩを直接視認しながら選択可能な携帯型の情報処理装置を提供する。【解決手段】情報処理装置１は、情報を表示する表示装置３と、タッチ入力式センサ４と、を備え、表示装置３は透明であり、かつその少なくとも一方の面に、透明なタッチ入力式センサ４が設けられている。【選択図】図２
2011076560.tif 000002
【特許請求の範囲】
【請求項１】
情報を表示する表示装置と、
タッチ入力式センサと、を備え、
前記表示装置は透明であり、かつその少なくとも一方の面に、透明なタッチ入力式センサが設けられていることを特徴とする情報処理装置。
【請求項２】
前記タッチ入力式センサは、前記表示装置の少なくとも背面側に設けられていることを特徴とする請求項１に記載の情報処理装置。
【請求項３】
前記表示装置は、有機発光素子で構成された有機ＥＬディスプレイであることを特徴とする請求項１または請求項２に記載の情報処理装置。
【請求項４】
前記有機ＥＬディスプレイを構成する少なくとも一つの有機発光素子は、炭酸セシウムを含有する有機化合物層を備えていることを特徴とする請求項３に記載の情報処理装置。
【請求項５】
前記表示装置は、その背面側に前記表示装置の光透過率を調整する拡散板を備えていることを特徴とする請求項１から４のいずれか１項に記載の情報処理装置。
【請求項６】
前記拡散板は、前記表示装置の背面側に交換可能に配置されていることを特徴とする請求項５に記載の情報処理装置。
【発明の詳細な説明】
【技術分野】
【０００１】
本発明は、情報処理装置に関し、特に、軽量・小型で操作性に優れた携帯型の情報処理装置に関する。
【背景技術】
【０００２】
近年、電子部品の小型化やデータ通信技術の発展に伴い、小型で携帯可能な情報機器の開発が盛んである。これらの携帯情報機器の開発において、機器の小型化が特に重要視されている。携帯情報機器において、情報表示部と、例えば、キーボード等の情報入力部とを同一平面内に配置する場合、機器を小型化するためには、表示部を小さくするか、もしくは情報入力部を小さくする必要があった。そのため、例えば、情報表示部にキーボードの代わりとなるグラフィックユーザーインターフェース（ＧＵＩ）を表示し、それらを指でタッチ選択して情報入力を行う、タッチ入力式のディスプレイ（タッチパネル）が採用されている。
【０００３】
このようなタッチ入力式の情報機器では、表示部のＧＵＩを指でタッチするため、入力の際に操作者の指がＧＵＩ上を覆い、タッチ時にＧＵＩを直接視認することができない。例えば、表示部にキーボード配置の複数のＧＵＩを表示させる場合、各々のキーに対応するＧＵＩが小さくなるため、正確なキーの入力が難しい。また、このような小さなＧＵＩを軽快にタッチすることは難しく、情報入力し難かった。
【０００４】
その対策として、ディスプレイ背面から入力を行い、指によるＧＵＩ遮蔽の問題を解消するディスプレイが創案されている。例えば、非特許文献１には、不透明な液晶ディスプレイの背面にタッチセンサとカメラとを設けたディスプレイが提案されている。このディスプレイは、カメラによりディスプレイ背面での指操作を撮影し、その映像を画像処理により画面情報に重ねて表示させ、擬似的にディスプレイが透明であるような状況を作り出し、指タッチ時のＧＵＩ遮蔽の問題を解決している。
【先行技術文献】
【非特許文献】
【０００５】
【非特許文献１】Ｄａｎｉｅｌ  Ｗｉｇｄｏｒ，  Ｃｌｉｆｔｏｎ  Ｆｏｒｌｉｎｅｓ，  Ｐａｔｒｉｃｋ  Ｂａｕｄｉｓｃｈ３，  Ｊｏｈｎ  Ｂａｒｎｗｅｌｌ，  Ｃｈｉａ  Ｓｈｅｎ：  ＬｕｃｉｄＴｏｕｃｈ：  Ａ  Ｓｅｅ−Ｔｈｒｏｕｇｈ  Ｍｏｂｉｌｅ  Ｄｅｖｉｃｅ，  ＵＩＳＴ’０７，  Ｏｃｔｏｂｅｒ  ７−１０，  ２００７，  Ｎｅｗｐｏｒｔ，  Ｒｈｏｄｅ  Ｉｓｌａｎｄ，  ＵＳＡ．
【発明の概要】
【発明が解決しようとする課題】
【０００６】
ところで、非特許文献１のディスプレイでは、背面に設けられたカメラによりディスプレイ背面での指操作を撮影している。したがって、情報処理装置を持ち運ぶ際に装置背面カメラが破損する虞がある。また、背面の指操作を表示情報に重ね合わせて表示するため、特別な画像処理機構が必要であった。
【０００７】
そこで本発明は、上記課題に鑑み、カメラや画像処理等の特別な機構を必要とせず、情報表示部に表示されるＧＵＩをタッチ選択する際に指がＧＵＩを遮ることなく、ＧＵＩを直接視認しながら選択可能な携帯型の情報処理装置を提供することを目的とする。
【課題を解決するための手段】
【０００８】
上記の目的を達成すべく成された本発明の構成は以下の通りである。
【０００９】
即ち、本発明に係る情報処理装置は、情報を表示する表示装置と、タッチ入力式センサと、を備え、前記表示装置は透明であり、かつその少なくとも一方の面に、透明なタッチ入力式センサが設けられていることを特徴とする情報処理装置である。
【発明の効果】
【００１０】
本発明によれば、表示装置の一方の面にタッチ入力式センサが設けられており、表示装置およびタッチ入力式センサが透明である。したがって、表示装置の背面側にタッチ入力式センサを設けた場合には、装置背面からのタッチ入力が可能になり、指がＧＵＩを遮ることなく、ＧＵＩを直接視認しながら選択操作可能なタッチ入力式の携帯型の情報処理装置を提供することができる。また本発明の情報処理装置は、カメラや画像処理といった特別な機構は必要とならない。
【図面の簡単な説明】
【００１１】
【図１】本発明に係る情報処理装置の一実施形態を模式的に示す平面図である。
【図２】図１の情報処理装置のＡ−Ａ’断面を模式的に示す断面図である。
【図３】本発明に係る情報処理装置が備える表示素子として、透明有機ＥＬディスプレイを用いた場合の概略断面図である。
【図４】本発明に係る情報処理装置が備える表示素子として、透明有機ＥＬディスプレイを用いた場合の概略断面図である。
【発明を実施するための形態】
【００１２】
以下、図面を参照して、本発明の実施の形態を説明するが、本発明は本実施形態に限定されるものではない。
【００１３】
まず、図１を参照して、本発明に係る情報処理装置の一実施形態の構成について説明する。図１は、本発明に係る情報処理装置の一実施形態を模式的に示す平面図である。図２は、図１の情報処理装置のＡ−Ａ’断面を模式的に示す断面図である。図１および図２において、１は情報処理装置、２は筺体、３は表示装置、４はタッチ入力式センサ、５は情報処理装置１の操作者である。
【００１４】
図１および図２に示すように、本実施形態の情報処理装置１は、情報を表示する表示装置３と、タッチ入力式センサ４と、を備え、表示装置３の少なくとも一方の面に、タッチ入力式センサ４が設けられている。
【００１５】
表示装置３としては、透明で、かつ情報処理装置１の背面の状態や、背面にある物体を視認することが可能なディスプレイを用いる。透明なディスプレイ３としては、特に限定されず、広く一般に用いられている透明ディスプレイ、シースルーディスプレイ等を適用することが可能である。
【００１６】
特に、このディスプレイ３として、透明な有機ＥＬディスプレイを適用すると、他方式の透明ディスプレイに比べて、良好な色再現性や視野角による視認性、動画への応答性がよく、高画質表示が可能となるので、好ましい。また、有機ＥＬディスプレイを適用すると、他方式の透明ディスプレイに比べて、薄型・軽量であり、かつ低消費電力の表示装置が実現可能となる。さらに、有機ＥＬディスプレイは、３〜５Ｖ程度の低い電圧で駆動が可能で低消費電力であることから、携帯型の情報処理装置１への適用が特に好ましい。
【００１７】
なお、本発明において、「透明」とは、可視光に対して１０％以上の透過率を有することを意味し、無色透明のみならず、半透明や有色透明をも含む概念である。
【００１８】
タッチ入力式センサ４としては、特に限定されず、広く一般的に用いられている抵抗値の変化を検出する抵抗膜方式（感圧方式）や、静電容量方式のタッチセンサを用いることができる。また、タッチ入力式センサ４の基材としては、ガラス板、プラスチック板や樹脂フィルム等、様々なタイプのタッチ入力式センサを適用可能である。
【００１９】
操作者５は、ディスプレイ３とタッチ入力式センサ４を通して、装置の背面で操作する指６を視認することができ、前面側から表示面のどの部位をタッチしているかを重ねて見ることができる。指６でタッチした位置情報を元にして、元の表示情報に加えて、その位置に何らかのマークを重ね合せて表示するようなシステムとして構成すると、より好ましい。
【００２０】
これら透明ディスプレイ３とタッチ入力式センサ４を合わせた透過率としては、操作者５が、背面入力の指６の操作を視認できる、すなわち、影絵のように指６の動きを確認できる程度の透過率が確保されていればよい。そのため、双方を合わせた透過率は、少なくとも１０％以上あればよい。透過率の上限値としては、特に限定されず、表示画面上で表示情報に背面にある物体等が重なって視認されて、情報が見え難くなる場合には、透過率５０％以下程度に調整すると、表示情報のコントラストが向上するので、視認性の観点から好ましい。
【００２１】
この透過率の調整は、ディスプレイ３やタッチ入力式センサ４自体の透過率を調整してもよいし、あるいは、透明ディスプレイ３とタッチ入力式センサ４を高透過率のもので構成し、拡散板等の別部材を配して透過率を調整してもよい。拡散板は、情報処理装置１の背面側において、ディスプレイ３とタッチ入力式センサ４との間、もしくはタッチ入力式センサ４の外側に設置することができる。あるいは、情報処理装置１の背面にあるタッチ入力式センサ４の外側に拡散板を脱着できる機構を設け、様々な透過率の拡散板を使用できるように、拡散板を交換可能に配置してもよい。この場合、操作者５は、使用時の環境に応じて、適当な拡散板を選択し、表示画面の透過率を調整することができる。例えば、背景が明るい場合には低透過率の拡散板を用い、背景が暗い場合には高透過率の拡散板を用いるか、もしくは拡散板を取り外すことにより、外部環境の状況に応じて、表示情報の視認し易さを調節することができる。
【００２２】
またディスプレイの表示輝度を調整することでも、外部環境に応じた表示情報の視認性の調整を行うことは可能である。ここでディスプレイの表示輝度の調整の具体的な方法として、使用者が操作可能な任意の表示輝度調整機構を設ける方法や、筐体１の任意の場所に明るさセンサを搭載するなどして外部環境に応じて表示輝度を自動的に調整できる機構を設ける方法がある。
【００２３】
また、ディスプレイ３やタッチ入力式センサ４の表面に、例えば、ＡＲ等の反射防止コーティングを施すと、情報処理装置１を屋外で使用する際に、画面やセンサ部において外光が反射するのを防止できるため、屋外視認性の観点から好ましい。
【００２４】
また、上述した拡散板の代わりに光吸収性の黒色シートを設けてもよい。光吸収性の黒色シートを設けると、ディスプレイを透過した外光を吸収すると共に、使用者側への外光の反射が抑制されるので、表示情報のコントラストが向上する。このため、屋外視認性の観点で好ましい。
【００２５】
さらに、本実施形態では、ディスプレイ３の少なくとも一方（背面側）にタッチ入力式センサ４を配置した場合を例示したが、ディスプレイ３の両面にタッチ入力式センサ４を配置することも可能である。この場合には、情報処理装置１の背面からのタッチ入力に加え、情報表示部の表面からのタッチ入力も可能となるので、入力方法のバリエーションを増大させることができる。
【００２６】
筺体２の内部には、不図示の情報処理部が設けられており、この情報処理部はディスプレイ３およびタッチ入力式センサ４と電気的に接続されている。タッチ入力式センサ４からの選択位置情報は、この情報処理部に送られ、表示面のＧＵＩの位置（アドレス）情報と照らし合わせ、対応するＧＵＩに相当する情報が機器に入力される。
【００２７】
このような透明ディスプレイ３およびタッチ入力式センサ４を備えた情報処理装置１では、操作者５は、情報表示装置１の背面の状況や物体を視認しながら、表示情報を確認することが可能となる。特に、ディスプレイ３の情報表示面の背面部にタッチ入力式センサ４を配置して、背面タッチによる選択位置情報と、表示情報を対応させた情報処理を行うと、表示画面上のＧＵＩ越しに、背面にある指６の動きを直接確認しながら、タッチ入力が可能となる。これにより、従来のタッチ入力式情報処理装置で課題であったタッチ選択時に指６がＧＵＩを覆い隠してしまうこと、カメラや画像処理などの特別な機構を必要とすること、および機器の持ち運びの際にカメラ等の破損の虞を解決することができる。
【００２８】
続いて、本実施形態の情報処理装置１に適用されるフルカラーの透明有機ＥＬディスプレイ３の構造について、さらに詳しく説明する。図３および図４は、本発明に係る情報処理装置が備える表示素子として、透明有機ＥＬディスプレイを用いた場合の概略断面図である。図３および図４において、１０は基板、１１はＴＦＴ駆動回路、１２は駆動回路と電極との配線部、１３は平坦化膜、１４は基板側の電極、１５は素子分離膜である。また、１６はホール輸送層、１７は赤色の発光層、１８は緑色の発光層、１９は青色の発光層、２０は電子輸送層、２１は電子注入層、２２は基板１０と反対側の電極、２３は乾燥窒素、２４は素子パッケージ、２５は金属電極である。
【００２９】
このディスプレイ３は、有機発光素子からなる発光画素を複数有するディスプレイであって、これら各発光画素の発光を制御する駆動回路を備えている。このディスプレイ３には、複数の画素ユニットがマトリックス状に配列されており、各画素ユニットは、発光色の異なる複数の画素、例えば、赤色発光画素１７、緑色発光画素１８、および青色発光画素１９で構成される。
【００３０】
この有機ＥＬディスプレイ３の基板側の電極１４を陽極、基板と反対側の電極２２を陰極として電流を通電することで、電極１４から注入されたホールと電極２２から注入された電子とが発光層１７、１８、１９において再結合し、発光が生じる。
【００３１】
図３に示す有機ＥＬディスプレイ３では、基板１０として透明基板を用い、平坦化膜１３を透明な樹脂材料で形成する。さらに、基板１０上にある一対の電極１４、２２を透明な電極とする。これにより、発光画素部は透明となる。発光画素部以外の部分には、ＴＦＴ駆動回路１１や駆動用の配線部１２が設けられており、これらは数百μｍ程度の厚さのアルミニウム等の金属材料で構成されているため、不透明である。そこで、駆動回路１１のレイアウトにおいて、これら配線部１２などの不透明部と、透明な画素部との比率を調整し、有機ＥＬディスプレイ３の透過率を調整することも可能である。ただし、ディスプレイサイズ全体に対する画素部の大きさ比率（開口率）が大きい程、発光輝度を低くでき、有機発光素子の長寿命化が図れる。そのため、開口率は少なくとも２０％以上、より好ましくは４０％以上とすることが、情報処理装置の長寿命化という観点から好ましい。
【００３２】
また、図４に示す有機ＥＬディスプレイ３では、透明性は素子分離膜１５の領域で確保し、画素の開口部は不透明であってもよい。したがって、電極１４の下に金属電極２５等の不透明な電極を配置しても構わない。上述のように、透明性は素子分離膜１５の領域で確保するので、ＴＦＴ駆動回路１１や配線は素子分離膜１５の下を少しでも避けたレイアウトにすることが好ましい。
【００３３】
また、ＴＦＴ駆動回路１１や配線部１２を透明な酸化物半導体で構成し、ディスプレイ上のすべての領域を透明とすることもできる。
【００３４】
基板１０としては、透明であれば特に限定されず、ガラス板や、セラミックス板、石英板、およびプラスチック板などの種々の材料を用いることができる。また、基板１０として樹脂シート等のフレキシブルシートを用いると共に、装置の筺体部分をも同様にフレキシブルな構造に形成すると、フレキシブルな情報処理装置１を作製することが可能である。また、基板１０の材質の選択により、ディスプレイ３の透過率を調整することも可能である。
【００３５】
基板側の電極１４、２５や、基板と反対側の透明電極２２としては、酸化物導電膜、具体的には、酸化インジウムと酸化錫の化合物膜（ＩＴＯ）や、酸化インジウムと酸化亜鉛の化合物膜（ＩＺＯ）等を用いることができる。なお、ここで「透明」とは、可視光に対して１０％以上の透過率を有することを意味し、上述したように、無色透明のみならず、半透明や有色透明をも含む概念である。したがって、電極は薄膜であるため光透過率が良く、半透明である金属薄膜であってもよい。ただし、透明性を高めるという点では、好ましくは消衰係数のκが０．０５以下がよく、より好ましくはκが０．０１以下がよい。これらの透明電極１４、２２は、いかなる方法で成膜されてもよく、例えば、スパッタリング法等により成膜される。
【００３６】
ホール輸送層１６、各色発光層１７、１８、１９、電子輸送層２０に用いられる有機化合物は低分子材料、高分子材料、もしくは両者を用いて構成されてもよく、特に限定されるものではない。必要に応じて、公知の材料を使用できる。
【００３７】
電子注入層２１としては、例えばＩＴＯやＩＺＯ等の透明電極２２から電子の注入を可能とする材料を選択する。一般に、ＩＴＯやＩＺＯ等の透明電極２２は、比較的仕事関数が高い。透明電極２２からより容易に電子を注入するためには、電子輸送性の有機化合物材料に、アルカリ金属、アルカリ土類金属、もしくはその化合物を０．１〜数十％含有させて構成した電子注入層２１とするとよい。
【００３８】
特に、電子輸送性有機化合物に炭酸セシウムを含有させた有機化合物層である電子注入層２１は、高仕事関数のＩＴＯやＩＺＯなどの透明電極２２からも容易に電子注入が可能であることから、特に好ましい。また、この炭酸セシウムを含有させた電子注入層２１は、〜１００ｎｍ程度に厚膜化させても、駆動電圧への影響がほとんどない特徴を兼ね備える。そのため、電子注入層をできるだけ厚く成膜すると、その後に成膜する、透明電極２１の成膜ダメージを緩和できるため、特に好ましい。
【００３９】
さらに、炭酸セシウムは取り扱いが容易である。一般に、アルカリ金属やアルカリ土類金属の単体は反応性が高く、空気中では容易に取り扱うことができない。そのため、このような金属を電子注入層２１に含有させようとすると、真空蒸着用の特殊なディスペンサーを用いて行う必要があった。炭酸セシウムを用いれば、そのような特殊な準備が必要なく、ＩＴＯ等の高仕事関数の電極から容易な電子注入が可能となるため、本発明の情報処理装置１に不可欠な透明な有機ＥＬディスプレイ３の実現において、特に重要である。
【００４０】
上述したように、電極２２は一般的な透明導電膜であることは必須ではなく、薄い金属膜であってもよい。また、素子分離膜１５の領域が透明になっていれば、画素毎の電極（ここではアノード）は不透明であってもよい。
【００４１】
これらの有機化合物からなる層は、一般には真空蒸着法、イオン化蒸着法、スパッタリング、プラズマ、あるいは適当な溶媒に溶解させて公知の塗布法（例えば、スピンコーティング、ディッピング、キャスト法、およびインクジェット法等）により薄膜を形成する。
【００４２】
２３は乾燥窒素であり、有機発光素子と素子パッケージ２４の空間に充填されている。素子パッケージ２４は、素子が外部環境の酸素や水分より保護する目的で設けられる。素子パッケージ２４としては、基板１０と同様に透明な材質であれば特に限定されないが、ガラス板、セラミックス板、もしくはプラスチック板等を適用することが可能である。基板１０の場合と同様に、素子パッケージ２４の透過率を変更させ、ディスプレイ３の透過率調整することも可能である。また、必要に応じ、素子パッケージ２４の内部の非表示領域の部分に、例えば、酸化カルシウムなどの乾燥剤を設ける。外部環境より、パッケージ２４の内部へ侵入する酸素や水分を吸収できるため、有機ＥＬディスプレイ３の信頼性向上の観点から好ましい。
【００４３】
また、乾燥窒素２３のような気体層が無く、直接樹脂や無機膜でディスプレイの表面を覆って外部の酸素や水分を遮断するように構成しても構わない。
【００４４】
基板１０の背面側に配置するタッチ入力式センサ３は、上述したように、抵抗式や容量式の他、透明なものでればよい。
【００４５】
以上、本発明の好適な実施形態を説明したが、これは本発明の説明のための例示であり、本発明の要旨を逸脱しない範囲で、上記実施形態とは異なる種々の態様で実施することができる。
【００４６】
例えば、上記実施形態では、一例として各色の画素が一つのものを例示したが、ディスプレイの画素数に関しては、特に限定されず、必要に応じて、様々な画素数のディスプレイとすることができる。画素数が多い程、より解像度を高めて表示することが可能となるため、高品位の情報表示が可能となるため、より好ましい。
【００４７】
また、上記実施形態では、情報処理装置１のタッチ入力式センサを操作者５の指６でタッチ操作する場合についてのみ説明したが、個人情報端末（ＰＤＡ）のようにタッチペンによる入力方式を採用しても構わない。
【実施例】
【００４８】
以下、実施例を挙げて、本発明に係る表示モジュールをさらに詳細に説明するが、本発明はこれらの実施例に限定されるものではない。
【００４９】
〔実施例１〕
実施例１では、図３の透明な有機ＥＬディスプレイを備える情報処理装置１を以下に示す方法で作製した。
【００５０】
図３に示すように、ガラス基板１０上に、低温ポリシリコンからなるＴＦＴ駆動回路１１を形成し、その上にアクリル樹脂からなる平坦化膜１３を形成して基板とした。この上に、基板側の透明電極１４として、ＩＴＯをスパッタリング法にて３８ｎｍの厚さで形成した。続いて、透明導電膜を画素毎にパターニングし、陽極を形成した。
【００５１】
さらに、アクリル樹脂により素子分離膜１５を形成し基板を作成した。これをイソプロピルアルコール（ＩＰＡ）で超音波洗浄し、次いで、煮沸洗浄後乾燥した。そして、ＵＶ／オゾン洗浄してから有機化合物を真空蒸着により成膜した。
【００５２】
まず、ホール輸送層１６として、α−ＮＰＤを全ての画素に８７ｎｍの厚さで成膜した。この際の真空度は１×１０-4Ｐａ、蒸着レートは０．２ｎｍ／ｓｅｃである。
【００５３】
次に、シャドーマスクを用いて、赤色発光層１７、緑色発光層１８、青色発光層１９をそれぞれ厚さ３０ｎｍ、４０ｎｍ、２５ｎｍで成膜した。
【００５４】
続いて、全ての画素に共通の電子輸送層２０として、バソフェナントロリン（Ｂｐｈｅｎ）を真空蒸着法にて１０ｎｍの厚さで形成した。蒸着時の真空度は１×１０-4Ｐａ、成膜速度は０．２ｎｍ／ｓｅｃの条件であった。
【００５５】
その後、共通の電子注入層２０として、ＢｐｈｅｎとＣｓ2ＣＯ3とを共蒸着（重量比９０：１０）して４０ｎｍの厚さで形成した。蒸着時の真空度は３×１０-4Ｐａ、成膜速度は０．２ｎｍ／ｓｅｃの条件であった。
【００５６】
次に、この電子注入層２０まで成膜した基板を、真空状態を保持したままでスパッタ装置に移動し、透明電極２２としてＩＴＯを３０ｎｍの厚さで成膜した。
【００５７】
さらに、この透明電極２２まで成膜した基板を、乾燥窒素で充填されたグローブボックスへ移動させ、基板上の有機発光素子部をガラスによる素子パッケージ２４で覆い、透明な有機ＥＬディスプレイを得た。
【００５８】
続いて、この透明有機ディスプレイの一方の面に静電容量方式の透明なタッチセンサ３を貼り付けた。
【００５９】
次に、このタッチ入力式センサ４を貼り付けた有機ＥＬディスプレイ３を筺体２に組み込み、筺体２の内部に備える情報処理部と接続し、情報処理装置１を得た。
【００６０】
実施例１の情報処理装置１によれば、装置背面からのタッチによるＧＵＩの選択時に、指によりＧＵＩ上を覆い隠すことがなく、どのＧＵＩを選択しているか、操作者が直接視認確認することが可能となる。これにより、細かなＧＵＩの場合でも、それらを正確かつスピーディーに選択し、機器へ情報を入力することが可能となった。
【００６１】
〔実施例２〕
実施例２では、背面のタッチ入力式センサの外側に透過率３０％の拡散板を設けた以外は、実施例１の情報処理装置１と同様の構成で作製した。
【００６２】
実施例２の情報処理装置は、背面に拡散板を備えているので、ディスプレイの情報を表示する場合に、表示情報に背面の物体が重なって視認されるのを軽減できるため、表示情報を良好に視認することが可能であった。
【符号の説明】
【００６３】
１：情報処理装置、２：筺体、３：ディスプレイ、４：タッチ入力式センサ、５：操作者、６：指、１０：基板、１１：ＴＦＴ駆動回路、１２：配線部、１３：平坦化膜、１４：基板側の透明電極、１５：素子分離膜、１６：ホール輸送層、１７：赤色発光層、１８：緑色発光層、１９：青色発光層、２０：電子輸送層、２１：電子注入層、２２：基板と反対側の電極、２３：乾燥窒素、２４：素子パッケージ、２５：金属電極
【図１】
2011076560.tif 000003
【図２】
2011076560.tif 000004
【図３】
2011076560.tif 000005
【図４】
2011076560.tif 000006